(57)【特許請求の範囲】
【請求項１】
2つの分離可能な部分で形成され、その中に形成されたキャビティを含む、ゴルフクラブヘッドボディと、
該キャビティ内に収容され、少なくとも4つの面を有する調節可能な打球インサートであって、該少なくとも4つの面のうち少なくとも2つが異なる性能特性を有し、該少なくとも4つの面それぞれがゴルフクラブヘッドの打球フェイスを形成することを可能とするように調節可能である、調節可能な打球インサートと
を含むゴルフクラブヘッド。
【請求項２】
調節可能な打球インサートの4つの面それぞれが異なる性能特性を有する、請求項1記載のゴルフクラブヘッド。
【請求項３】
キャビティが3つの面に接して塞がれている、請求項1記載のゴルフクラブヘッド。
【請求項４】
調節可能な打球インサートの少なくとも4つの面のうち1つがゴルフクラブヘッドの打球フェイスの少なくとも一部分を形成し、該調節可能な打球インサートの少なくとも3つの残りの面が該ゴルフクラブヘッド内に封じ込められている、請求項3記載のゴルフクラブヘッド。
【請求項５】
少なくとも3つの残りの面がゴルフクラブヘッドの外部から見えない、請求項4記載のゴルフクラブヘッド。
【請求項６】
調節可能な打球インサートがキャビティ内で回転可能である、請求項1記載のゴルフクラブヘッド。
【請求項７】
調節可能な打球インサートがキャビティ中に取り外し可能に取り付けられている、請求項1記載のゴルフクラブヘッド。
【請求項８】
ゴルフクラブヘッドボディがゴルフクラブヘッドの中心線に沿って分離可能である、請求項1記載のゴルフクラブヘッド。
【請求項９】
請求項1記載のゴルフクラブヘッド、および
ゴルフクラブに接続されたシャフト
を含むゴルフクラブ。
【請求項１０】
フロントフェイスと、該フロントフェイスの少なくとも一部分中に形成されたキャビティとを有するパターヘッドボディであって、該キャビティが該パターヘッドボディの中心に向かって後方に延びる、パターヘッドボディと、
該パターヘッドボディ中に形成された該キャビティ内に収容された調節可能な打球フェイスインサートであって、該調節可能な打球フェイスインサートが複数の面を有し、該面それぞれが異なる性能特性を有し、該面それぞれが使用時の位置において打球面の少なくとも一部分を形成するように構成されている、調節可能な打球フェイスインサートと
を含むパターヘッドであって、
該調節可能な打球フェイスインサートが軸に取り付けられ、該パターヘッドの該キャビティ内で該軸を中心に回転可能である、
パターヘッド。
【請求項１１】
調節可能な打球フェイスインサートが少なくとも3つの面を有する、請求項10記載のパターヘッド。
【請求項１２】
調節可能な打球フェイスインサートが6つの面を有する、請求項10記載のパターヘッド。
【請求項１３】
調節可能な打球フェイスインサートが実質的に正方形の断面を有する、請求項10記載のパターヘッド。
【請求項１４】
調節可能な打球フェイスインサートがパターヘッドのキャビティから取り外し可能である、請求項10記載のパターヘッド。
【請求項１５】
調節可能な打球フェイスインサートの複数の面のうち第一の面が打球面の少なくとも一部分を形成し、該複数の面のうち残りの面がパターヘッドのキャビティ内に収容されている、請求項10記載のパターヘッド。
【請求項１６】
複数の面のうち残りの面がパターヘッドの外部から見えない、請求項15記載のパターヘッド。
【請求項１７】
シャフト、
該シャフトの第一端に接続されたゴルフクラブヘッドであって、該ゴルフクラブヘッドのフロントフェイスの少なくとも一部分中に形成されかつ該ゴルフクラブヘッドの中心に向かって後方に延びるキャビティを含む、ゴルフクラブヘッド、および
該ゴルフクラブヘッドに回転可能に接続され、該キャビティ内に収容された調節可能な打球フェイスインサートであって、該調節可能な打球フェイスインサートが複数の面を有し、該面のうち少なくとも2つが異なる性能特性を有し、該面それぞれが、使用時の位置において該ゴルフクラブヘッドの打球面の少なくとも一部分を形成するように構成され、調節可能な打球フェイス部分がさらに、該打球面のロフト角を変更するために調節可能である、調節可能な打球フェイスインサート
を含むゴルフクラブ。
【請求項１８】
調節可能な打球フェイスインサートが、ロフト角を0°〜6°の増分で調節するために回転可能である、請求項17記載のゴルフクラブ。
【請求項１９】
調節可能な打球フェイスインサートが少なくとも4つの面を有する、請求項17記載のゴルフクラブ。
【請求項２０】
調節可能な打球フェイスインサートが少なくとも5つの面を有する、請求項17記載のゴルフクラブ。
【請求項２１】
複数の面のうち第一の面が打球面の少なくとも一部分を形成し、該複数の面のうち残りの面がゴルフクラブヘッドボディ内に収容されている、請求項17記載のゴルフクラブ。
【請求項２２】
複数の面のうち残りの面がゴルフクラブヘッドボディの外部から見えない、請求項21記載のゴルフクラブ。
【請求項２３】
調節可能な打球フェイスインサートが、複数の面のうち任意の面が打球面の少なくとも一部分を形成することを可能とするようにキャビティ内で回転可能である、請求項17記載のゴルフクラブ。
【請求項２４】
調節可能な打球フェイスインサートがゴルフクラブヘッドに取り外し可能に接続されている、請求項17記載のゴルフクラブ。
【請求項２５】
上面、後面、および前面を形成する2つの分離可能な部分である、トウ部分およびヒール部分で形成されたクラブヘッドボディと、
該クラブヘッドボディ中に形成されたキャビティであって、該クラブヘッドボディの前記前面から該クラブヘッドボディの中心に向かって内方に延びる、キャビティと、
該キャビティ内に収容され、少なくとも4つの面を有する調節可能な打球インサートであって、該少なくとも4つの面のうち少なくとも2つが異なる性能特性を有し、該調節可能な打球インサートの第一の面がゴルフクラブヘッドの打球面の少なくとも一部分を形成し、該クラブヘッドボディの該上面が、該調節可能な打球インサートの残りの面を覆って延びて、該調節可能な打球インサートの該残りの面の目視を妨げる、調節可能な打球インサートと
を含むゴルフクラブヘッド。
【請求項２６】
ゴルフクラブヘッドがアドレス位置にあるとき、クラブヘッドボディの上面が調節可能な打球インサートの残りの面の目視を妨げる、請求項25記載のゴルフクラブヘッド。
【請求項２７】
キャビティが、クラブヘッドボディの前面に形成された開口を含み、該開口を通して、打球フェイスの少なくとも一部分を形成する調節可能な打球インサートの第一の面がゴルフクラブヘッドの正面から見える、請求項25記載のゴルフクラブヘッド。
【請求項２８】
調節可能な打球インサートの少なくとも4つの面それぞれが、使用時の位置において打球面の少なくとも一部分を形成するように構成されている、請求項25記載のゴルフクラブヘッド。
【請求項２９】
調節可能な打球フェイスインサートの少なくとも4つの面それぞれが、調節可能な打球フェイスインサートの他の面それぞれとは異なる性能特性を有する、請求項25記載のゴルフクラブヘッド。
【請求項３０】
前記面の1つまたは複数が、該面をほぼ水平方向に横切って設置された溝を含む性能特性を有する、請求項1記載のゴルフクラブヘッド。
【請求項３１】
前記面の1つまたは複数が、非水平方向の線形またはカーブしたパターンで該面を横切って延びる溝を含む性能特性を有する、請求項1記載のゴルフクラブヘッド。
【請求項３２】
前記面の1つまたは複数が、該面をほぼ水平方向に横切って延びる部分と該面を斜め下方に延びる部分とを有する溝を含む性能特性を有する、請求項1記載のゴルフクラブヘッド。
【請求項３３】
前記1つまたは複数の面の性能特性が、ポリマー材料で埋められた溝を含む、請求項1記載のゴルフクラブヘッド。
【請求項３４】
ガスケットが、前記ゴルフクラブヘッドボディの各部分の間に配置されている、請求項1記載のゴルフクラブヘッド。
【発明の詳細な説明】
【技術分野】
【０００１】
本発明は概してパターヘッドおよびパターに関する。本発明の少なくともいくつかの例に従うパターヘッドおよびパターは、異なる性能特性を有する複数の面を有する調節可能な打球フェイスインサートを含んでもよい。
【背景技術】
【０００２】
背景
ゴルフは、多種多様なプレーヤ―異なる性別のプレーヤならびに劇的に異なる年齢および技能レベルのプレーヤによって楽しまれている。そのような多様なプレーヤの集まりがゴルフイベントで互いに直接競いながらいっしょにプレーし（例えば、ハンデ付きのスコア、異なるティーボックスを使用して、チーム型式で、など）、なおもゴルフの試合または競技を楽しむことができるという点で、ゴルフはスポーツ界ではいくぶんユニークである。これらの要因が、テレビのゴルフ番組（例えばゴルフトーナメント、ゴルフニュース、ゴルフ史および／または他のゴルフ番組）の増加および著名なゴルフスーパースターの出現と相まって、少なくとも部分的に、近年、米国および世界中でのゴルフ人気を高めた。
【０００３】
ゴルファーは、すべての技能レベルにおいて、成績を改善し、ゴルフスコアを減らし、その次の成績「レベル」に到達しようとする。すべてのタイプのゴルフ用具の製造者はこれらの要求に応え、近年、この業界は、ゴルフ用具における劇的な変化および改良を見た。例えば、今や、広い範囲の様々なゴルフボールモデルが入手可能であり、一部のボールは、特定のスイング速度および／または他のプレーヤ特性もしくは好みを補うように設計されており、例えば、一部のボールは、より遠く、および／またはよりまっすぐに飛ぶように設計されており、一部のボールは、より高い、またはよりフラットな弾道を提供するように設計されており、一部のボールは、より多くのスピン、コントロールおよび／または感触（特にグリーン周りの）を提供するように設計されている、などである。また、ゴルフスコアを減らすのに役立つことを約束する数多くのスイング補助具および／または補助教具が市販されている。
【０００４】
プレー中にゴルフボールを動かす唯一の道具であることから、ゴルフクラブもまた、近年、多大な技術的研究および進歩の対象であった。例えば、市場は、近年、パター設計、ゴルフクラブヘッド設計、シャフトおよびグリップにおける改良を見てきた。さらには、ゴルフクラブの様々な要素および／または特性ならびに／またはゴルフボールの特性を特定のユーザのスイング特徴または特性により良く適合させようとして、他の技術的進歩が達成されてきた（例えばクラブフィッティング技術、ボール打ち出し角計測技術、ボールスピン速度特性など）。
【０００５】
ゴルファーは、特にパターに関して、ゴルフクラブの「感触」に敏感である傾向がある。ゴルフクラブの「感触」は、ボールに対してスイングする、および／またはボールを打つときにプレーヤが体感する感覚を生じさせる、クラブの様々な構成パーツおよびクラブに関連する様々な特徴の組み合わせを含む。クラブの「感触」は、あるユーザにとって良好に「感じられる」クラブが別のユーザにとってはまったく望ましくない「感触」特性を有し得るという点で、非常に個人的な特性である。クラブ重量、重量配分、エアロダイナミクス、スイング速度などがすべて、スイングし、ボールを打つときのクラブの「感触」に影響し得る。「感触」はまた、クラブの外観およびボールを動かすためにクラブヘッドがボールを打ったときに発生する音にも関連することがわかっている。
【０００６】
ゴルフクラブ設計に対する技術的改良が成されてきたが、パターストロークの非常に個人的な性質およびゴルフボールのパッティングの「感触」局面の理由から、1つのパター構造がすべてのプレーヤに最適であることはない。クラブの見かけおよび感触を変化させる新規なパター構造は少なくとも一部のプレーヤによって歓迎される。本発明は、これらおよび他の課題を解決し、従来技術パターによって提供されない利点を提供するために提供される。
【発明の概要】
【０００７】
概要
以下、本発明の基本的理解を提供するために、本発明の局面の概要を提示する。この概要は、本発明の広範な概観として意図したものではない。発明の主要または重要な要素を特定することを意図したものでもなく、本発明の範囲を限定することを意図したものでもない。以下の概要は、本発明のいくつかの概念を、以下に提供されるより詳細な説明への前置きとして一般的な形態で提示するだけである。
【０００８】
本発明の局面は、中に形成されたキャビティを有するパターヘッドボディを含んでもよいパターおよびパターヘッドに関する。キャビティは、調節可能な打球フェイスインサートを受けるように構成されてもよい。調節可能な打球フェイスインサートは複数の面を有してもよく、いくつかの構成において、パターのカスタマイズを提供するために、各面が異なる性能特性を有してもよい。
【０００９】
調節可能な打球フェイスインサートは、いくつかの例において、パターヘッド内に収容されてもよい。例えば、調節可能な打球フェイスインサートの1つの面が、パターのフロントフェイスと実質的に整合する状態で設置されてもよく、打球面の少なくとも一部分を形成してもよい。調節可能な打球フェイスインサートの残りの面は、使用しない時に面に接触する土、くず、水分などを最小限にするために、パターボディ内に収容および／または封じ込めされてもよい。すなわち、残りの面（打球面の少なくとも一部分を形成しない面）はパターの外から見えなくてもよい。
【００１０】
調節可能な打球フェイスインサートは、キャビティ内でのインサートの回転を可能とするためにパターヘッドに回転可能に接続されてもよい。いくつかの構成において、パターヘッドは、インサートのこの回転または一般には調節を支援するために、分離可能であってもよい。さらにインサートは、パターのさらなるカスタマイズを提供するために、パターのロフト角を変化させるように微調節（例えば小刻みに）されてもよい。追加的または代替的に、調節可能な打球フェイスインサートは、パターヘッドに取り外し可能に接続されてもよい。
【００１１】
また、本発明のさらなる局面は、例えば上記様々なタイプのパターおよびパターヘッドを製造する方法に関する。
[本発明1001]
2つの分離可能な部分で形成され、その中に形成されたキャビティを含む、ゴルフクラブヘッドボディと、
該キャビティ内に収容され、少なくとも4つの面を有する調節可能な打球インサートであって、該少なくとも4つの面のうち少なくとも2つが異なる性能特性を有し、該少なくとも4つの面それぞれがゴルフクラブヘッドの打球フェイスを形成することを可能とするように調節可能である、調節可能な打球インサートと
を含むゴルフクラブヘッド。
[本発明1002]
調節可能な打球インサートの4つの面それぞれが異なる性能特性を有する、本発明1001のゴルフクラブヘッド。
[本発明1003]
キャビティが3つの面に接して塞がれている、本発明1001のゴルフクラブヘッド。
[本発明1004]
調節可能な打球インサートの少なくとも4つの面のうち1つがゴルフクラブヘッドの打球フェイスの少なくとも一部分を形成し、該調節可能な打球インサートの少なくとも3つの残りの面が該ゴルフクラブヘッド内に封じ込められている、本発明1003のゴルフクラブヘッド。
[本発明1005]
少なくとも3つの残りの面がゴルフクラブヘッドの外部から見えない、本発明1004のゴルフクラブヘッド。
[本発明1006]
調節可能な打球インサートがキャビティ内で回転可能である、本発明1001のゴルフクラブヘッド。
[本発明1007]
調節可能な打球インサートがキャビティ中に取り外し可能に取り付けられている、本発明1001のゴルフクラブヘッド。
[本発明1008]
ゴルフクラブヘッドボディがゴルフクラブヘッドの中心線に沿って分離可能である、本発明1001のゴルフクラブヘッド。
[本発明1009]
本発明1001のゴルフクラブヘッド、および
ゴルフクラブに接続されたシャフト
を含むゴルフクラブ。
[本発明1010]
フロントフェイスと、該フロントフェイスの少なくとも一部分中に形成されたキャビティとを有するパターヘッドボディであって、該キャビティが該パターヘッドボディの中心に向かって後方に延びる、パターヘッドボディと、
該パターヘッドボディ中に形成された該キャビティ内に収容された調節可能な打球フェイスインサートであって、該調節可能な打球フェイスインサートが複数の面を有し、該面それぞれが異なる性能特性を有し、該面それぞれが使用時の位置において打球面の少なくとも一部分を形成するように構成されている、調節可能な打球フェイスインサートと
を含むパターヘッド。
[本発明1011]
調節可能な打球フェイスインサートが少なくとも3つの面を有する、本発明1010のパターヘッド。
[本発明1012]
調節可能な打球フェイスインサートが6つの面を有する、本発明1010のパターヘッド。
[本発明1013]
調節可能な打球フェイスインサートが実質的に正方形の断面を有する、本発明1010のパターヘッド。
[本発明1014]
調節可能な打球フェイスインサートが軸に取り付けられ、パターヘッドのキャビティ内で該軸を中心に回転可能である、本発明1010のパターヘッド。
[本発明1015]
調節可能な打球フェイスインサートがパターヘッドのキャビティから取り外し可能である、本発明1010のパターヘッド。
[本発明1016]
調節可能な打球フェイスインサートの複数の面のうち第一の面が打球面の少なくとも一部分を形成し、該複数の面のうち残りの面がパターヘッドのキャビティ内に収容されている、本発明1010のパターヘッド。
[本発明1017]
複数の面のうち残りの面がパターヘッドの外部から見えない、本発明1010のパターヘッド。
[本発明1018]
シャフト、
該シャフトの第一端に接続されたゴルフクラブヘッドであって、該ゴルフクラブヘッドのフロントフェイスの少なくとも一部分中に形成されかつ該ゴルフクラブヘッドの中心に向かって後方に延びるキャビティを含む、ゴルフクラブヘッド、および
該ゴルフクラブヘッドに回転可能に接続され、該キャビティ内に収容された調節可能な打球フェイスインサートであって、該調節可能な打球フェイスインサートが複数の面を有し、該面のうち少なくとも2つが異なる性能特性を有し、該面それぞれが、使用時の位置において該ゴルフクラブヘッドの打球面の少なくとも一部分を形成するように構成され、調節可能な打球フェイス部分がさらに、該打球面のロフト角を変更するために調節可能である、調節可能な打球フェイスインサート
を含むゴルフクラブ。
[本発明1019]
調節可能な打球フェイスインサートが、ロフト角を0°〜6°の増分で調節するために回転可能である、本発明1018のゴルフクラブ。
[本発明1020]
調節可能な打球フェイスインサートが少なくとも4つの面を有する、本発明1018のゴルフクラブ。
[本発明1021]
調節可能な打球フェイスインサートが少なくとも5つの面を有する、本発明1018のゴルフクラブ。
[本発明1022]
複数の面のうち第一の面が打球面の少なくとも一部分を形成し、該複数の面のうち残りの面がゴルフクラブヘッドボディ内に収容されている、本発明1018のゴルフクラブ。
[本発明1023]
複数の面のうち残りの面がゴルフクラブヘッドボディの外部から見えない、本発明1022のゴルフクラブ。
[本発明1024]
調節可能な打球フェイスインサートが、複数の面のうち任意の面が打球面の少なくとも一部分を形成することを可能とするようにキャビティ内で回転可能である、本発明1018のゴルフクラブ。
[本発明1025]
調節可能な打球フェイスインサートがゴルフクラブヘッドに取り外し可能に接続されている、本発明1018のゴルフクラブ。
[本発明1026]
上面を有するハウジングを含むクラブヘッドボディと、
該クラブヘッドボディの該ハウジング中に形成されたキャビティであって、該クラブヘッドボディの前面から該クラブヘッドボディの中心に向かって内方に延びる、キャビティと、
該キャビティ内に収容され、少なくとも4つの面を有する調節可能な打球インサートであって、該少なくとも4つの面のうち少なくとも2つが異なる性能特性を有し、該調節可能な打球インサートの第一の面がゴルフクラブヘッドの打球面の少なくとも一部分を形成し、該ハウジングの該上面が、該調節可能な打球インサートの残りの面を覆って延びて、該調節可能な打球インサートの該残りの面の目視を妨げる、調節可能な打球インサートと
を含むゴルフクラブヘッド。
[本発明1027]
ゴルフクラブヘッドがアドレス位置にあるとき、ハウジングの上面が調節可能な打球インサートの残りの面の目視を妨げる、本発明1026のゴルフクラブヘッド。
[本発明1028]
キャビティが、クラブヘッドボディの前面に形成された開口を含み、該開口を通して、打球フェイスの少なくとも一部分を形成する調節可能な打球インサートの第一の面がゴルフクラブヘッドの正面から見える、本発明1026のゴルフクラブヘッド。
[本発明1029]
調節可能なゴルフクラブヘッドの少なくとも4つの面それぞれが、使用時の位置において打球面の少なくとも一部分を形成するように構成されている、本発明1026のゴルフクラブヘッド。
[本発明1030]
調節可能な打球フェイスインサートの少なくとも4つの面それぞれが、調節可能な打球フェイスインサートの他の面それぞれとは異なる性能特性を有する、本発明1026のゴルフクラブヘッド。
【図面の簡単な説明】
【００１２】
添付図面と併せて以下の詳細な説明を参照することにより、本発明およびその特定の利点のより完全な理解が取得され得る。図中、同様な参照番号が同様な特徴を示す。
【００１３】
【図１】本発明の少なくともいくつかの局面に従う、調節可能な打球フェイスインサートを有する1つの例示的なパターヘッドを示す。
【図２】本発明の少なくともいくつかの例に従う、インサートの形状およびパターヘッド中に形成されたキャビティを示すために調節可能な打球フェイスインサートが取り外された図1のパターヘッドの斜視図である。
【図３】本発明の少なくともいくつかの局面に従う、調節可能な打球フェイスインサートを有するパターヘッドの代替構成を示す。
【図４】本発明の少なくともいくつかの局面に従う、パターヘッド中に形成されたキャビティを示すために調節可能な打球フェイスインサートが取り外された図3のパターヘッドの正面図である。
【図５Ａ】本発明の少なくともいくつかの局面に従う、インサートの形状およびパターヘッド中に形成されたキャビティを示すために調節可能な打球フェイスインサートが取り外された図3のパターヘッドの斜視図である。
【図５Ｂ】本発明の少なくともいくつかの局面に従う、調節可能な打球フェイスインサートを有する別のパターヘッド構成の正面図である。
【図５Ｃ】本発明の少なくともいくつかの局面に従う、調節可能な打球フェイスインサートを有する別のパターヘッド構成の分解図である。
【図６】本発明の少なくともいくつかの局面に従う、調節可能な打球フェイスインサートを有するパターヘッドのさらに別の構成である。
【図７Ａ】本発明の少なくともいくつかの局面に従う、異なる性能特性を提供するいくつかの例示的な調節可能な打球インサートフェイス構成を示す。
【図７Ｂ】本発明の少なくともいくつかの局面に従う、異なる性能特性を提供するいくつかの例示的な調節可能な打球インサートフェイス構成を示す。
【図７Ｃ】本発明の少なくともいくつかの局面に従う、異なる性能特性を提供するいくつかの例示的な調節可能な打球インサートフェイス構成を示す。
【図７Ｄ】本発明の少なくともいくつかの局面に従う、異なる性能特性を提供するいくつかの例示的な調節可能な打球インサートフェイス構成を示す。
【図８】図8Aは、本発明の少なくともいくつかの局面に従う、3つの面を有する調節可能な打球フェイスインサートの例示的な代替構成である。図8Bは、本発明の少なくともいくつかの局面に従う、5つの面を有する調節可能な打球フェイスインサートの例示的な代替構成である。
【図９】本発明の少なくともいくつかの局面に従う、調節可能な打球フェイスインサートをパターヘッド内に保定するために使用されてもよい例示的な2パーツ型ロッド構成を示す。
【発明を実施するための形態】
【００１４】
詳細な説明
本発明の様々な例示的なパターヘッドおよび他の局面に関する以下の説明においては、本発明の局面を実現することができる様々な例示的な構造、システムおよびステップが実例として示されている、本明細書の一部を形成する添付図面が参照される。本発明の範囲を逸脱することなく、パーツ、構造、例示的な装置、システムおよびステップの他の具体的構成が利用されてもよく、構造的および機能的変更が加えられてもよいことが理解されよう。また、本明細書においては、本発明の様々な例示的な特徴および要素を説明するために「上」、「下」、「前」、「後」、「側方」などの語が使用され得るが、これらの語は、本明細書中、例えば図示する例示的な向きおよび／または通常の使用における向きに基づいて便宜上使用される。本明細書または図面におけるいかなる記載も、本発明の範囲に入るために構造の特定の三次元的向きを要するものと解釈されるべきではない。
【００１５】
本発明の少なくともいくつかの例示的な局面はパターおよびパターヘッドに関する。本発明の局面の概説ののち、本発明の具体例のより詳細な説明が続く。
【００１６】
A. 本発明の局面に従うパターおよびパターヘッドの概説
概して、本発明の局面はパターおよびパターヘッドに関する。本発明の少なくともいくつかの例に従うこのようなゴルフクラブヘッドは、2つの分離可能な部分で形成され、中に形成されたキャビティを含むゴルフクラブヘッドボディを含んでもよい。ゴルフクラブヘッドはさらに、キャビティ内に収容され、少なくとも4つの面を有する調節可能な打球インサートを含んでもよい。いくつかの例において、少なくとも4つの面のうち少なくとも2つが異なる性能特性を有してもよい。いくつかの例において、少なくとも4つの面それぞれが異なる性能特性を有してもよい。調節可能な打球インサートは、少なくとも4つの面それぞれがゴルフクラブヘッドの打球フェイスの少なくとも一部分を形成することが可能であるように調節可能であってもよい。いくつかの例において、調節可能な打球フェイスインサートは、インサートの1つの面が露出し、打球面の少なくとも一部分を形成し得ると同時に残りの面がゴルフクラブヘッド内に封じ込められるようにゴルフクラブヘッド中のキャビティ内に収容されてもよい。
【００１７】
いくつかの例において、調節可能な打球フェイスインサートは、ゴルフクラブヘッドボディ内に回転可能に取り付けられてもよい。追加的または代替的に、調節可能な打球フェイスインサートは、ゴルフクラブヘッドボディのキャビティ中に取り外し可能に取り付けられてもよい。いくつかの構成において、ゴルフクラブヘッドはシャフトに接続され、それによってゴルフクラブを形成してもよい。
【００１８】
本発明のさらなる局面はパターおよびパターヘッドに関してもよい。そのようなパターおよびパターヘッドは、フロントフェイスとフロントフェイスの少なくとも一部分中に形成されたキャビティとを有するパターヘッドボディを含んでもよい。いくつかの例において、キャビティは、パターヘッドボディの中心に向かって後方に延びてもよい。パターおよびパターヘッドはさらに、パターヘッドボディ中に形成されたキャビティ内に収容された調節可能な打球フェイスインサートを含んでもよい。調節可能な打球フェイスインサートは複数の面を有してもよく、各面が、異なる性能特性を有し、使用時の位置において打球面の少なくとも一部分を形成するように構成されている。いくつかの例において、調節可能な打球フェイスインサートは、2つ、3つ、4つ、5つ、6つまたはそれより多くの面を有してもよい。
【００１９】
いくつかの構成において、調節可能な打球フェイスインサートは、キャビティ内でのインサートの回転を可能とするために軸に取り付けられてもよい。追加的または代替的に、インサートは、パターヘッドボディに取り外し可能に接続されてもよい。さらに、少なくともいくつかの例において、調節可能な打球フェイスインサートの第一の面が打球面の少なくとも一部分を形成してもよく、インサートの残りの面がパターヘッド内に収容されてもよい。
【００２０】
本発明のさらに他の局面は、シャフトとシャフトの第一端に接続されたゴルフクラブヘッドとを含みうるゴルフクラブおよびゴルフクラブヘッドに関してもよい。いくつかの例において、ゴルフクラブヘッドは、ゴルフクラブヘッドのフロントフェイスの少なくとも一部分に形成されゴルフクラブヘッドの中心に向かって後方に延びるキャビティを含んでもよい。ゴルフクラブおよびゴルフクラブヘッドはさらに、ゴルフクラブヘッドに回転可能に接続されキャビティ内に収容された調節可能な打球フェイスインサートを含んでもよい。いくつかの構成において、調節可能な打球フェイスインサートは複数の面を有してもよく、それらの面のうち少なくとも2つが異なる性能特性を有し、それらの面それぞれが、使用時の位置においてゴルフクラブヘッドの打球面の少なくとも一部分を形成するように構成されている。いくつかの例において、調節可能な打球フェイス部分はさらに、打球面のロフト角を変更するために調節可能であってもよい。例えば、調節可能な打球フェイスインサートは、ロフト角を1°〜5°の増分で調節するために微細に回転可能であってもよい。
【００２１】
本発明の具体例が以下さらに詳細に説明される。読者は、これらの具体例が、単に本発明の例を示すために記され、本発明を限定するものと解釈されるべきではないことを理解すべきである。
【００２２】
B. 本発明の具体例
本出願における様々な図面が、本発明の例に従うパター、そのコンポーネントおよび方法の例を示す。2つ以上の図面において同じ参照番号が見られる場合、その参照番号は、本明細書および図面を通して同じまたは類似パーツを指すために一貫して使用される。
【００２３】
図1は、本発明の少なくともいくつかの局面に従う例示的なパター100を示す。パター100は、打球フェイス104、上部106、下部108を有するパターヘッド102と、パターヘッド102と係合したシャフト110とを含む。パターヘッド102の上部106は、所望の形状、構造などを有するアライメントエイド（図示せず）を含んでもよい。本発明を逸脱することなく、パターヘッド102は、当技術分野において従来から公知であり、使用されている材料を含む所望の材料、例えば金属、金属合金などから作られてもよい。同様に、本発明を逸脱することなく、シャフト110もまた、当技術分野において従来から公知であり、使用されている材料を含む所望の材料、例えば金属、金属合金、複合材料などでできていてもよい。さらには、シャフト110は、接着剤、ファスナなどを含む従来の接続方法の1つを使用してパターヘッド102に接続されてもよい。
【００２４】
パターヘッド102は、パターヘッド102のフロントフェイス104に形成されてパターヘッド102の中心に向かって内方に延びる凹みまたはキャビティ（図2の114）を含んでもよい。キャビティ114は、調節可能な打球フェイスインサート（図2の116）を受けるように構成されてもよい。いくつかの例において、調節可能な打球フェイスインサート116は、以下さらに詳細に説明されるように、取り外し可能であってもよいし、かつ／または他の調節可能な打球フェイスインサートと交換可能であってもよい。調節可能な打球フェイスインサート116は、パターヘッド102の打球フェイス104の少なくとも一部分を形成してもよく、使用時の位置に設置されたときそれぞれが打球フェイス104の一部分を形成し得る複数の面を有してもよい。例えば、調節可能な打球フェイスインサート116は、いくつかの構成において、使用時の位置にある（例えば打球フェイス104と整合した）ときそれぞれが打球フェイス104の一部分を形成し得る2つ、3つ、4つ、5つ、6つまたはより多くの面を有してもよい。調節可能な打球フェイスインサートは、成形、高速製造付加造形技術などを含む公知の製造法を使用して形成されてもよい。追加的または代替的に、インサート116の1つまたは複数の面は、1つのピースとして一体に形成されてもよいし、別々に形成され、接着剤、機械的ファスナ、スナップ嵌めなどのような公知の接合方法を使用して接合されてもよい。
【００２５】
調節可能な打球フェイスインサート116は、パターヘッド内に嵌るサイズであってもよく、パターヘッド102のフェイスにわたって幅が変化してもよい。例えば、インサート116は、幅1〜4インチ、高さ1〜4インチ、奥行き1〜4インチであってもよい。追加的または代替的に、インサート116は、パターヘッド102のフェイス104の5％〜80％を構成してもよい。
【００２６】
図1および2の構成は、実質的に正方形または長方形の断面を有してもよい、4つの面を有する調節可能な打球フェイスインサート116を示す。調節可能な打球フェイスインサート116の1つまたは複数の面は、インサート116の別の面とは異なる性能特性を有する打球フェイス部分を含んでもよい。いくつかの例において、インサート116の各面は、以下さらに詳細に説明されるように、インサート116の他の面とは異なる性能特性を有する打球フェイス部分を有してもよい。
【００２７】
調節可能な打球フェイスインサート116は、調節可能な打球フェイスインサート116の1つの面、例えば面118aが打球面104の少なくとも一部分を形成し得ると同時に残りの面（図2の118b〜1118d）がパターヘッド102によって封じ込められ得る、またはその中に収容され得るようにキャビティ114内に設置されてもよい。調節可能な打球フェイスインサート116の非露出面は、土、くず、水分などがインサート116の非露出面118b〜118dと接触することを防ぐために、パターヘッド102内に収容されてもよい。追加的または代替的に、インサート116の非露出面118a〜118dは、非露出面118a〜118d上に設置されたパターンまたは他の目に見えるマーカがパッティングストローク中に目障りになることを避けるために、パターヘッド102内に収容されてもよい。例えば、様々な材料パターン、色などがインサート116の1つまたは複数の面118a〜118d上に見え得る。これらのパターンは、ゴルファーにとって目障りとして働くことにより、パター100のアライメントおよび／またはパター100のストロークに影響し得る。非露出面を収容することは、この潜在的な目障りの影響を減らす。
【００２８】
調節可能な打球フェイスインサート116は、パターヘッド102中のキャビティ114内に調節可能に収容されてもよい。いくつかの例において、調節可能な打球フェイスインサート116は、パターヘッド102内でのインサート116の回転を可能にし得る、インサート116の中を通過してパターヘッド102の中に延びる軸（以下さらに詳細に説明される）に取り付けられてもよい。他の構成において、調節可能な打球フェイスインサート116は、例えば、パターヘッド102の中を通過して延び（例えば開口122の中を通過して）、インサート116と接触する、またはその中に延びる止めねじまたは他のファスナ120を使用して、パターヘッド102中のキャビティ114内に取り外し可能に収容されてもよい。これらのねじまたは他のファスナ120は、面またはフェイス118a〜118dの1つが打球フェイス104の少なくとも一部分を形成する状態で、インサート116を所望の位置に保持し得る。すなわち、ユーザは、インサート116をキャビティ114から取り外し、打球フェイス104の一部分を形成する、調節可能な打球フェイスインサート116の所望の面118a〜118dを選択し、その所望のフェイスまたは面118a〜118dが打球フェイス104の一部分を形成する状態でインサート116をキャビティ114に戻してもよい。そして、ねじまたは他のファスナ120を締め付けて、調節可能な打球フェイスインサート116をキャビティ114内に維持してもよい。
【００２９】
図2は、調節可能な打球フェイスインサート116が取り外された図1のパターヘッド102の斜視図である。パターヘッド102中のキャビティ114がはっきりと見え、調節可能な打球フェイスインサート116の形状にほぼ一致する形状を有する状態で示されている。インサート116は、4つの面118a〜118dを有するものとして示されている。しかし、上述したように、調節可能な打球フェイスインサート116は、使用時の位置にあるとき（例えば打球フェイス104と整合しているとき）それぞれが打球フェイス104の少なくとも一部分を形成し得る2〜6つの面またはフェイスを有してもよい。いくつかの構成において、調節可能な打球フェイスインサート116の面またはフェイス118a〜118dの1つまたは複数は、パター100の少なくともいくらかのカスタマイズを可能とするために、インサート116の少なくとも1つの他の面118a〜118dとは異なる性能特性を有してもよい。いくつかの例において、調節可能な打球フェイスインサート116の各面118a〜118dが、インサート116の他の各面118a〜118dとは異なる性能特性を有してもよい。従って、ユーザは、所望の性能特性に基づいて所望の面118a〜118dを選択してもよく、所望のフェイスまたは面118a〜118dが打球面104の一部分を形成するようにインサート116を調節してもよい。従って、残りの面118a〜118dは、くず、土、水分などが面118a〜118dに付着することを防ぐために、パターヘッド102内に収容されてもよいし、パターヘッド102によって封じ込められてもよい。
【００３０】
図3〜5は、調節可能な打球フェイスインサート216を有する別の例示的なパター200を示す。図1および2の構成と同様に、パター200は、パターヘッド202に接続されたシャフト210を有するパターヘッド202を含む。パターヘッド202はさらに、パッティングストローク中にボールと接触するように構成された打球面204を含んでもよい。打球面204は、調節可能な打球フェイスインサート216によって形成された少なくとも一部分を含んでもよい。パターヘッド202はさらに、パターヘッド202の中心領域に向かって内方に延びるキャビティ214を含んでもよい。キャビティ214は、調節可能な打球フェイスインサート216を受けるように構成されてもよい。図3〜5の構成は、4つの面を有する調節可能な打球フェイスインサート216を示すが、本明細書に記載される構成に従って、任意の数（上記のように2つ、3つ、5つ、6つなど）の面を有するインサートが使用されてもよい。
【００３１】
図3〜5Cに示すように、パターヘッド202は、いくつかの構成において、分離可能であってもよい。例えば、継ぎ目230がパターヘッド202における切れ目を示す。いくつかの例において、ねじまたは他のファスナ、例えばファスナ220が、キャビティ214内のインサート216の位置を維持するために使用されてもよく、また、パターヘッド202の分離可能な部分を互いに接続してもよい。従って、図5Aに示すように、ねじ220が緩められ、パターヘッド202が分離してもよい。いくつかの例において、パターヘッドの各部分202a、202bが外方にスライドしてもよい。部分202a、202bは、インサート116の調節、パターヘッド部分202a、202bの再接続などの容易さを支援するために、例えばフレームまたは他の支持構造によって互いに接続されたままであってもよい。または、パターヘッド202の部分202a、202bは、分離されたとき各部分202a、202bが他の部分202a、202bに接続され得ないよう、完全に分離してもよい。
【００３２】
2つのパターヘッド部分202a、202bの分離がギャップ232を提供してもよく、このギャップが、調節可能な打球フェイスインサート216の移動および調節を支援する。例えば、上述したように、インサート216の中を通過し、いくつかの例においてはパターヘッド202の中に延びる軸240に、インサート216が取り付けられてもよい。軸240は、パターヘッド部分202a、202bが分離したとき、軸240を中心としたインサート216の回転を可能にしてもよい。すなわち、インサート216は、インサートの所望の面またはフェイス218a〜218dが使用時の位置に来て（例えば、打球面204と整合して）、打球フェイス204の少なくとも一部分を形成するまで、軸240を中心に回されてもよい。所望の面218a〜218dが打球フェイス204と整列すると、部分202a、202bをいっしょにスライドさせ、または他のやり方で再び接合させ、任意のファスナまたは他の接続機構（例えばねじ、ボルトなど）を締結して、キャビティ214内のインサート216の位置を維持し、いくつかの例においては、パターヘッド部分202a、202bを接合してもよい。インサート216が軸240に取り付けられる構成において、インサート216は、パターヘッド202から取り外し可能であってもよいし、取り外し可能でなくてもよい。
【００３３】
または、調節可能な打球フェイスインサート216は、たとえば上述したようなねじ、ボルト、機械的ファスナなどにより、パターヘッド202のキャビティ214内に取り外し可能に取り付けられてもよい。調節可能な打球フェイスインサート216を取り外しできることによって、インサート216と、おそらくはインサート216の性能特性に代わる性能特性を提供する面を有する別のインサートと交換できることを可能にしてもよい。これらさらなる性能特性の利用可能性が、ユーザにとってさらなるカスタマイズオプションを提供する。
【００３４】
図5Bおよび5Cは、調節可能な打球フェイスインサートを有するさらに別のパター構成を示す。図5Bはパターの正面図であり、図5Aの構成と同様に、パターヘッド252は、2つのパターヘッド部分252aおよび252bに分離可能であってもよい。パターヘッド252はまた、上述した構成と同様に、凹み253（図5C）の中に嵌り得る調節可能な打球フェイスインサート256を含んでもよい。図5Cに示すように、打球フェイスインサート256は、一般に3つの面を有してもよい（すなわち、実質的に三角形の断面を有する）。しかし、上述したように、本発明を逸脱することなく、4つの面、5つの面、6つの面などを有するような様々な他の形状、断面などが使用されてもよい。
【００３５】
図5Bをさらに参照すると、パターヘッド252は継ぎ目または割れ目260を含んでもよい。パターヘッド部分252aおよび252bは、調節可能な打球フェイスインサート256の回転または調節を可能とするために、継ぎ目260に沿って分離してもよい。パターヘッド252はまた、ピン262のような軸を含んでもよい。ピン262は、いくつかの例において、止めピンまたはパターヘッド252内のインサート256の位置を維持するように構成された他の装置であってもよい。図9に示すようないくつかの例において、軸は、中空のコアを有する2パーツ型ロッド280であってもよい。2パーツ型ロッド280は、複数の部分282aおよび282bを含んでもよく、伸縮性（例えば、一方の部分の一端が他方の部分の端部の中空のコアの中に嵌る）であってもよい。いくつかの例において、中空のコア内にばね284が設置されてもよい。この構成において、2パーツ型ロッド280は、パターヘッド252およびインサート256の中を通過して延びてもよく（図5Bに示す構成と同様）、2パーツ型ロッドをパターヘッド252内に保定するためにねじが使用されてもよい。例えば、パターヘッド252内のインサート256の位置を維持するために、ねじが、2パーツ型ロッドの1つまたは複数の端部に設置され、2パーツ型ロッド内のばねを圧縮することによってロッドをインサート256およびパターヘッド252内に締め付けてもよい。
【００３６】
図5Cは、パターヘッド252を分解図で示す。図示するように、パターヘッド部分252aおよび252bは分離した状態で示され、インサート256はパターヘッド252の外にある状態で示されている。いくつかの例においては、パターヘッド部分252aおよび252bをいっしょに封止することを支援するために、ガスケット264がパターヘッド252の両部分の間に配置されてもよい。いくつかの例において、ガスケット264はまた、パターストローク中のパターのアライメントを支援するために、パターヘッド252に沿って（例えば、パターヘッドの上面に沿って）視線を提供してもよい。
【００３７】
また、軸262が図5Cに示されている。上述したように、軸は、止めピンであってもよく、一方または両方の端部に設置された六角ナットまたは他のファスナを有してもよい。ファスナは、止めピン262をパターヘッド252内に締め付け、パターヘッド252内のインサート256の位置を維持することを支援するために使用されてもよい。止めピンまたは軸262は、パターヘッド252の端部分（ヒールまたはトウのいずれか）に位置する開口266の中に通してパターヘッド252に挿入されてもよい。軸262は、インサート256中の開口、例えば開口268の中を通過して延び、パターヘッド252の反対側端部に形成された凹み270に螺入してもよい。凹みは、止めピン262を受けるためにねじ切りされていてもよい。
【００３８】
いくつかの構成において、各パターヘッド部分252aおよび252bは、1つまたは複数の位置決めピンおよび／または位置決めピンホールを含んでもよい。例えば、図5Cに示すように、パターヘッド部分252bは、部分252bの内面から突出する複数の位置決めピン272を含む。位置決めピン272は、再アセンブリ中、パターヘッド部分252a中に形成された対応する位置決めピンホールまたは凹み、例えば位置決めピンホール274と嵌合することにより、パターヘッド部分252aおよび252bの整合を支援してもよい。ガスケット264がパターヘッド部分252aおよび252bの間に含まれる構成において、ガスケット264は、アセンブリ中に位置決めピン272が中を通過し得る、位置決めピン272の位置に対応する開口276を含んでもよい。位置決めピン272はまた、ガスケット264の位置を維持すること、およびアセンブリしやすさを支援してもよい。
【００３９】
上記構成と同様に、パターヘッド252は、ファスナ（例えば、止めピンの端部に配置された六角ナット、2パーツ型ロッドの端部のねじなど）を緩め、2つのパターヘッド部分252aおよび252bを引き離すことによって分離されてもよい。この分離は、打球面の一部分を形成する、調節可能な打球インサート256の面を変えるためのインサート256の回転を可能にしてもよい。上述したように、いくつかの例において、インサート256の異なる面は異なる性能特性を有してもよい。
【００４０】
図6は、調節可能な打球フェイスインサート316を有するさらに別のパター300を示す。図示するように、調節可能な打球フェイスインサートは概ね六角形であり、パターヘッド302中に形成された対応するキャビティ314は、六角形のインサート316に対応するように概ね形成されている。パター300は、1つのピースであってもよいし（図1および2の構成と同様）、1つまたは複数の部分に分離可能であってもよい（図3〜5の構成と同様）。さらに、インサート316は、軸340に取り付けられ、パターヘッド302のキャビティ314内で回転可能に取り付けられてもよい。軸340および／またはインサート316は、上述したようにねじ320または他のファスナによって定位置に保持されてもよい。
【００４１】
調節可能な打球フェイスインサート316は、6つの面を有するものとして示されている。いくつかの構成において、インサート316の面318a〜318fの1つまたは複数が異なる性能特性を有してもよい。従って、インサート316は、パター300の場合、6つまでの異なる打球面を提供してもよい。いくつかの例において、各面318a〜318fは、異なる性能特性、例えば異なる材料、材料の組み合わせ、材料の硬さなどを有してもよい。例えば、面318a〜318fは、異なるロール特性をボールに付与し得る、パット中に異なる感触をユーザに提供し得るなどの、異なる硬さの1つまたは複数の材料、溝構成などを含んでもよい。打球フェイス304を形成する面318a〜318fは、特定の性能特性のためにユーザによって選択されてもよい。いくつかの例において、ユーザは、同じゴルフラウンド中の異なるパットのために、コンディションに依存して異なる面318a〜318fを選択してもよい。または、ユーザは、所望の性能特性を有するフェイスまたは面318a〜318fを選択し、それを、いくつかのパットまたはすべてのパットのための打球面304として使用してもよい。本発明を逸脱することなく、性能特性などの様々な組み合わせが使用されてもよい。
【００４２】
例えば、インサート316の1つのフェイスまたは面318a〜318fは、従来の金属パターなどのように1つの材料または材料のタイプで形成されてもよい。追加的または代替的に、1つまたは複数の面318a〜318fは、組み合わせて使用される複数の材料、例えば異なる硬さの材料（ポリマー、金属など）を有してもよい。例えば、パターは、よりソフトな感触を提供するために、軟質のポリマー材料で形成された領域を有してもよい。さらに他の例において、面318a〜318fの1つまたは複数は、インサートの打球面上の溝の中に形成されたスコアラインを含んでもよい。カスタマイズ可能なパター300を提供し、ユーザの能力を高めるために、これらの材料、設計、構成などの様々な組み合わせがインサート316の1つまたは複数の面上に使用されてもよい。
【００４３】
図7A〜7Dは、上記インサート116、216、316のような調節可能な打球フェイスインサートのいくつかの例示的な面を示す。図7A〜7Dに示す構成は単に様々な打球面構成のいくつかの例である。本出願におけるいかなる記載も、本発明を、本明細書において詳述される打球フェイス構成のみに限定するものと解釈されるべきではない。それどころか、調節可能な打球フェイスインサートは、様々なタイプの材料、複数の材料などから形成された様々な打球フェイス構成を有する複数のフェイスを有してもよい。
【００４４】
図7Aは、調節可能な打球フェイスインサート416の例示的な面418aである。図示する構成において、第一の面418aは、上述したように、使用時の位置においてパターヘッドのフロントフェイスに露出したとき、パターの打球フェイスの少なくとも一部分を形成してもよい。第一の面418aは打球領域419を含んでもよい。いくつかの例において、打球領域419は、異なる材料で形成された1つまたは複数の部分を含んでもよい。例えば、打球領域の主部分は、金属または他の硬質材料で形成されてもよく、図7Aに示すように、金属部分421に形成された溝423を有してもよい。溝は、様々なサイズ、構成、形状などであってもよく、金属部分421に機械加工または他のやり方で形成されてもよい。溝423は、インサート418aのプレート面にかけて一定の深さ、幅、高さなどを有してもよい。しかし、いくつかの例において、1つまたは複数の溝423の深さ、幅、高さなどは、溝423の長手、プレート面418aなどに沿って変化してもよい。追加的または代替的に、溝423またはその一部分は、パターがボールアドレス位置にあるとき、インサート416のフェイスをほぼ水平方向に横切って設置されてもよい。他の構成において、溝423は、以下さらに詳細に説明されるように、非水平方向の線形、円形、半円形または他のカーブしたパターンでフェイス上に延びてもよい。
【００４５】
打球領域419の金属部分421はまた、溝423を埋める材料を含んでもよい。例えばいくつかの例においては、パターの場合に、よりソフトな感触を提供するために、金属材料よりも軟質な材料が溝423を埋めてもよい。例えば、溝は、ポリマー材料、例えば熱可塑性ポリウレタンまたは熱硬化性材料で埋められてもよい。いくつかの例において、溝を埋めるポリマー材料は、25〜85ショアDの範囲の硬さを有してもよい。いくつかの具体例において、溝423を埋めるポリマー材料は、35〜45ショアD、50〜60ショアDまたは60〜70ショアDの範囲の硬さを有してもよい。ポリマー材料は金属よりも軽く、それにより、パターヘッドに関連する重量を減らしてもよい。さらには、この相対的に軟質のポリマー材料を打球フェイスの一部として含めることにより（ポリマー材料がパット中にボールと直に接触するように）、パターヘッドの音、跳ね返りおよび他の「感触」特性に影響するパターヘッドの打球特性を変化させ、制御してもよい（例えば、振動を減衰させ、打球の音を変化させることにより）。ポリマー材料はまた、ボールがパターフェイスから離れるときのボールスピンに影響してもよい。これらの特徴もまた、以下さらに詳細に説明される。
【００４６】
インサート416またはその部分は、あらゆる適当な材料で形成されてもよい。例えば、インサート416および、図7Aにおいて、金属部分421は、金属、例えばアルミニウム、鋼、チタン、ニッケル、ベリリウム、銅、これらの金属を含む組み合わせまたは合金などを含む様々な材料で形成されてもよい。打球フェイス上の金属とポリマー材料とのこの組み合わせが、よりソフトな感触、増大したスピン速度、より忠実な転がり、より金属質の打球音などを含む、ゴルフクラブの改善された性能を提供してもよい。
【００４７】
いくつかの例において、ポリマー材料は、その中に形成されたスコアラインを含んでもよい。スコアラインは、インサートの成形または他の造形中にポリマー材料中に形成されてもよいし、場合によっては、望むならば、スコアラインのいくらかの部分が溝423のポリマーまたは金属部分に切られてもよい。
【００４８】
いくつかの例において、打球領域419は、パターのさらなるカスタマイズ／個人化を可能にする取り外し可能なインサートを含んでもよい。例えば、インサートの1つまたは複数の面が、パターの性能特性を変化させるためのさらに多くのオプションを提供するために他の取り外し可能な打球領域と交換され得る取り外し可能な打球領域を含んでもよい。個人化およびカスタマイズ特徴は、様々な特徴、例えばポリマーおよび／または金属の色（例えばチームカラー、信念または販売促進に関連する色、プレーヤの好みなど）、ポリマーおよび／または金属の硬さ（例えば、異なるプレーコンディションまたはスイングタイプのための硬めまたは軟らかめ）、ポリマーおよび／または金属上のグラフィックス（例えばロゴなど）などを含んでもよい。
【００４９】
図7Aの構成は、打球領域419の実質的部分を形成する金属部分を有するものとして説明されたが、いくつかの例においては、金属が、溝を埋めるポリマー材料とは異なる硬さのポリマーによって換えられてもよい。例えば、金属部分421は、溝423を埋めるポリマーよりも高いショア硬さ値を有するポリマー材料と換えられてもよい。このすべてポリマーの構成は、ゴルフクラブヘッドに関連する重量をさらに減らすことを支援し得る。追加的または代替的に、溝を埋めるポリマー材料は、元の金属とは異なる硬さの金属と換えられて、それにより、すべて金属のインサートを形成してもよい。
【００５０】
図7Aの打球領域419は、インサート416の面418aをほぼ水平方向に横切って延びる部分および面418aを斜め下方に延びる部分を有する溝を含む。斜めの部分は、適当な角度で設置されてもよく、面418aに形成される溝の数は、図示する数よりも多くても少なくてもよい。または、図7Bは、一連のほぼ水平方向の溝が3つの群417a〜417cとして面418bを横切って形成されている別の構成を提供する。図7Aの構成と同様に、面418bは、実質的に金属で形成されてもよく、その中に溝453が形成されている。溝453はポリマー材料で埋められてもよい。または、面418bは、使用中、図7Aの構成よりも硬い感触を提供するために、実質的にポリマー材料で形成され、金属または他の硬質材料で埋められた溝453を有してもよい。これらの様々な溝構成が、パッティングストローク中のボールの転がり、パターの感触などを変化させてもよい。
【００５１】
図7Cは、調節可能な打球フェイスインサート416のためのさらに別の例示的な面構成を示す。面418cは、面418c中に半円形パターンに形成された複数の溝を含む。図7Aの構成と同様に、面418cは、第一の材料で形成されてもよく、その中に形成され、第二の異なる材料で埋められた溝463を有してもよい。
【００５２】
図7Dは、インサート416の面418dのためのさらに別の例示的な構成を示す。図示する構成は、打球領域419の大部分がポリマー材料で形成され、その中に形成された溝473を有する構成を示す。溝473は、ポリマー材料とは異なる材料で埋められてもよいし、打球領域の主部分を形成するポリマー材料とは異なる硬さを有する別のポリマー材料で形成されてもよい。
【００５３】
上述したように、図7A〜7Dに示す構成は、単に、異なる性能特性を提供し得る調節可能な打球フェイスインサートの1つまたは複数の面の異なる構成のいくつかの例である。本開示におけるいかなる記載も、インサートをこれらの構成のみに限定するものと解釈されるべきではない。それどころか、本発明を逸脱することなく、異なる材料、材料の組み合わせ、溝パターン、深さ、サイズなどを含む任意の打球フェイス構成が使用されてもよい。さらなるパターフェイス構成が、参照により本明細書に組み入れられる、2009年11月4日出願の「Putter Heads and Putters Including Polymeric Material as Part of the Ball Striking Face」と題する米国特許出願第12/612,236号に記載されている。
【００５４】
図8Aおよび8Bは、本発明の局面に従って使用されてもよい、いくつかのさらなるインサート形状を示す。図8Aは、3つまでの異なる打球面構成を提供し得る3面または三角形のインサートを示す。図8Bは、5つまでの異なる打球面構成を有する5面または五角形構成を示す。本明細書に記載されるインサートのいずれかとともにさらなる、または代替の打球フェイス構成が使用されてもよく、本明細書または図面におけるいかなる記載も、フェイス構成を、図示され、説明されるもののみに限定するものと見なされるべきではない。
【００５５】
いくつかの構成において、調節可能な打球フェイスインサートは、パターおよび打球面のロフト角を調節するためにわずかな増分で調節されてもよい。例えば、図6をさらに参照すると、止めねじ320または他のファスナが、キャビティ314内のインサート316の位置の微調節を可能にしてもよい。すなわち、インサート316は、打球面314のロフト角を増減するために、わずかに上下に調節されてもよい。いくつかの例において、インサート316は、任意の数の位置および対応するロフト角を提供するために無限に回転可能であってもよい。追加的または代替的に、回転は、既定の増大であってもよいし、キャビティ314内のインサート316の有限数の位置を提供し得るストップを含んでもよい。いくつかの例において、調節可能な打球フェイスインサートは、0°〜6°の増分で調節可能であってもよい。
【００５６】
本発明を逸脱することなく、本発明の局面は任意の所望のパターヘッド構造とともに実現されてもよい。図1〜6は、様々なマレットタイプゴルフパターヘッド構造に含められる本発明の局面を示す。しかし、本発明の局面はまた、ブレードタイプパターヘッド、高慣性モーメント大型パターヘッド構造などとともに実現されてもよい。
【００５７】
本発明を逸脱することなく、パターおよびパターヘッドは、当技術分野において公知であり、使用されているような従来の構造、材料、寸法、ロフト角、ライ角、色、デザインなどを含む任意の所望の構造、材料、寸法、ロフト角、ライ角、色、デザインなどを有してもよい。
【００５８】
結び
本発明を逸脱することなく、当然、パターおよびパターヘッド構造および／またはそれらの構造の製造方法に対する多くの変更が使用されてもよい。例えば、構造に関しては、本発明を逸脱することなく、グリップ、目印またはマーキング、他のしるしまたはマーキング、様々なタイプのパターヘッド、様々なシャフトカーブおよび／または形状、様々なシャフト接続部材形状および／または他の構造要素が提供されたり、かつ／または構造において変更されたりしてもよい。方法に関しては、本発明を逸脱することなく、さらなる製造ステップが追加されてもよく、様々な記載のステップが省略されてもよく、ステップが変更および／または順序変更されてもよいなどである。従って、本発明を実施する好ましい形態を含む具体例に関して本発明が詳細に説明されたが、当業者は、上記構造および方法の数多くの変形および交換があることを理解するであろう。従って、本発明の真意および範囲は、特許請求の範囲に述べられるように広く解釈されるべきである。
【図１】
0005980781.tif 000002
【図２】
0005980781.tif 000003
【図３】
0005980781.tif 000004
【図４】
0005980781.tif 000005
【図５Ａ】
0005980781.tif 000006
【図５Ｂ】
0005980781.tif 000007
【図５Ｃ】
0005980781.tif 000008
【図６】
0005980781.tif 000009
【図７Ａ】
0005980781.tif 000010
【図７Ｂ】
0005980781.tif 000011
【図７Ｃ】
0005980781.tif 000012
【図７Ｄ】
0005980781.tif 000013
【図８】
0005980781.tif 000014
【図９】
0005980781.tif 000015